(57)【要約】【課題】揺動操作機構を小型でコンパクトなものにすると共に、比較的小さな力で大型のルーバーを楽に回転操作できる可動ルーバー装置を提供する。【解決手段】左右の縦枠１，１間に多段状に配したルーバー２の両端部を支軸３を介して両縦枠１，１に回転可能に取り付け、各ルーバー２の一端面に固着したアームプレート４をルーバー２の幅方向一端部から所要長さ突出させ、その突出端部をルーバー連動杆５に枢支連結し、ルーバー連動杆５の下端側所要位置には、把手部６ｏが室内側へ延出したルーバー回転操作用ハンドル６を枢着し、ハンドル６の先端部をルーバー２の支軸３より室外側へ寄った位置で縦枠１に枢着し、ハンドル６を先端枢着部１０を中心に上下方向に回動させることによりルーバー２を一斉に回転させるようにすると共に、ハンドル６と縦枠１との間に、ハンドル６を所要角度回動させた位置に固定するロック手段７を設ける。【選択図】図２
2011080248.tif 000002
【特許請求の範囲】
【請求項１】
左右の縦枠間に多数のルーバーを多段状に等間隔に配して、各ルーバーの両端部を支軸を介して両縦枠に回転可能に取り付け、各ルーバーの一端面に固着したアームプレートをルーバーの幅方向一端部から所要長さ突出させて、その突出端部を縦枠の室内側に配置したルーバー連動杆に枢支連結し、このルーバー連動杆の下端側所要位置には、把手部が室内側へ延出したルーバー回転操作用ハンドルの所要部を枢着し、このハンドルの先端部をルーバーの支軸よりも室外側へ寄った位置で縦枠に枢着して、このハンドルを先端枢着部を中心に上下方向に回動させることによってルーバーを一斉に回転させるように構成すると共に、ハンドルと縦枠との間に、ハンドルを所要角度回動させた位置に固定するロック手段を設けてなる可動ルーバー装置。
【請求項２】
ロック手段は、縦枠に設けた台板に、ルーバー回転操作用ハンドルの先端部の枢着部を中心とする半径上に一定のピッチでピン孔を複数設け、これらのピン孔に対し係脱自在のロックピンを、ハンドルに枢着したピン係脱操作用レバーの先端部に取り付け、レバーとハンドルとの間に介装したバネによってロックピンを常時台板のピン孔に係入するように付勢し、このバネに抗してレバーの基端側を押えることにより、ロックピンをピン孔から抜いてロック解除するようにしてなる請求項１に記載の可動ルーバー装置。
【請求項３】
各ルーバーの長さ方向中間部にその厚さ方向に貫通する貫通孔を設け、上方から垂下した中間支持材を全段のルーバーの貫通孔にわたって挿通し、この中間支持材に各ルーバーを前記支軸と同軸線上で回転可能に枢着してなる請求項１又は２に記載の可動ルーバー装置。
【請求項４】
ハンドルの回動操作角度を一定範囲内に制限するストッパーを設けてなる請求項１〜３の何れかに記載の可動ルーバー装置。
【発明の詳細な説明】
【技術分野】
【０００１】
本発明は、建物の窓部の外側に設置され、日除けとして使用される可動ルーバー装置に関するもので、特に高さが例えば３ｍ程度あるいはそれ以上の大型ルーバー装置に好適な可動ルーバー装置に関する。
【背景技術】
【０００２】
従来の可動ルーバー装置として、特許公報等の具体的な公知文献を挙げることはできないが、従来の大型の可動ルーバー装置は、左右の縦枠間に多数のルーバーを多段状に等間隔に配して、各ルーバーの両端部を支軸を介して両縦枠に回転可能に取り付け、一方の支軸に突設した連結アームを連動棒に枢着し、この連動棒と一方の縦枠との間に、連動棒を上下方向に揺動させる揺動機構を介装したもので、この揺動機構は、ハンドルの回転操作によってウォームギヤからなる減速機を回転駆動し、この減速機の回転により大型の四節リンク機構を作動させて連動棒を上下揺動し、それによってルーバーを一斉に回転させるようにしている。
【発明の概要】
【発明が解決しようとする課題】
【０００３】
上記したような従来の可動ルーバー装置では、揺動機構が大掛かりなものとなるため、製作コストが高くつくと共に、その大掛かりな揺動機構が場所をとり、外観上の体裁、見栄えもを悪くしている。
【０００４】
本発明は、上記の事情に鑑み、揺動操作機構を小型でコンパクトなものにすると共に、比較的小さな力で大型のルーバーを楽に回転操作できる可動ルーバー装置を提供することを目的としている。
【課題を解決するための手段】
【０００５】
上記課題を解決するための手段を、後述する実施形態の参照符号を付して説明すると、請求項１に係る発明の可動ルーバー装置は、左右の縦枠１，１間に多数のルーバー２を多段状に等間隔に配して、各ルーバー２の両端部を支軸３を介して両縦枠１，１に回転可能に取り付け、各ルーバー２の一端面に固着したアームプレート４をルーバー２の幅方向一端部から所要長さ突出させて、その突出端部を縦枠１の室内側に配置したルーバー連動杆５に枢支連結し、このルーバー連動杆５の下端側所要位置には、把手部６ｏが室内側へ延出したルーバー回転操作用ハンドル６の所要部を枢着し、このハンドル６の先端部をルーバー２の支軸３よりも室外側へ寄った位置で縦枠１に枢着して、このハンドル６を先端枢着部１０を中心に上下方向に回動させることによってルーバー２を一斉に回転させるように構成すると共に、ハンドル６と縦枠１との間に、ハンドル６を所要角度回動させた位置に固定するロック手段７を設けてなることを特徴とする。
【０００６】
請求項２は、請求項１に記載の可動ルーバー装置において、ロック手段７は、縦枠１に設けた台板１３に、ルーバー回転操作用ハンドル６の先端部の枢着部１０を中心とする半径上に一定のピッチでピン孔１４を複数設け、これらのピン孔１４に対し係脱自在のロックピン１５を、ハンドル６に枢着したピン係脱操作用レバー１６の先端部に取り付け、レバー１６とハンドル６との間に介装したバネ１７によってロックピン１５を常時台板１３のピン孔１４に係入するように付勢し、このバネ１７に抗してレバー１６の基端側を押えることにより、ロックピン１５をピン孔１４から抜いてロック解除するようにしてなることを特徴とする。
【０００７】
請求項３は、請求項１又は２に記載の可動ルーバー装置において、各ルーバー２の長さ方向中間部にその厚さ方向に貫通する貫通孔２４を設け、上方から垂下した中間支持材２３を全段のルーバー２の貫通孔２４にわたって挿通し、この中間支持材２３に各ルーバー２を前記支軸２と同軸線上で回転可能に枢着してなることを特徴とする。
【０００８】
請求項４は、請求項１〜３の何れかに記載の可動ルーバー装置において、ハンドル６の回動操作角度を一定範囲内に制限するストッパー１９，２０を設けてなることを特徴とする。
【発明の効果】
【０００９】
上記解決手段による発明の効果を、後述する実施形態の参照符号を付して説明すると、請求項１に係る発明によれば、各ルーバー２の一端面に固着したアームプレート４をルーバー２の幅方向一端部から所要長さ突出させて、その突出端部を縦枠１の室内側に配置したルーバー連動杆５に枢支連結すると共に、このルーバー連動杆５の下端側所要位置にルーバー回転操作用ハンドル６の所要部を枢着し、このハンドル６の先端部をルーバー２の支軸３よりも室外側へ寄った位置で縦枠１に枢着し、ハンドル６の基端側を室内側へ長く延出して、その延出端部を把手６ｏとしていることから、ハンドル６は、梃子の作用を有効に発揮させて、把手６ｏでの比較的小さな操作力で、ルーバー連動杆５及びアームプレート４に対し大きな力を作用させることができ、それにより大型可動ルーバー装置の多数のルーバー２であっても非常に楽に回転操作することができる。またハンドル６は、ロック手段７によって所要回動位置に簡単に固定させることができる。
【００１０】
また、この可動ルーバー装置のルーバー回転操作機構は、構造が簡単で、小型且つコンパクトに構成されるから、場所をとらず、ルーバー装置の設置が容易になると共に、施工費を安くできる効果を奏する。
【００１１】
請求項２に係る発明によれば、ロック手段７は、縦枠１に設けた台板１３に、ルーバー回転操作用ハンドル６の先端枢着部１０を中心とする半径上に一定のピッチでピン孔１４を複数設け、これらのピン孔１４に対し係脱自在のロックピン１５を、ハンドル６に枢着したピン係脱操作用レバー１６の先端部に取り付け、レバー１６とハンドル６との間に介装したバネ１７でロックピン１５を常時台板１３のピン孔１４に係入するように付勢し、バネ１７に抗してレバー１６の基端側を押えることにより、ロックピン１５をピン孔１４から抜いてロック解除するようにしたから、簡単な操作でハンドル６を所要角度位置に確実に固定することができる。
【００１２】
請求項３に係る発明によれば、各ルーバー２の長さ方向中間部にその厚さ方向に貫通する貫通孔を設け、上方から垂下した中間支持材を全段のルーバーの貫通孔にわたって挿通し、この中間支持材に各ルーバーを回転可能に枢着しているから、長さの長いルーバー２でも、その自重による撓み変形を防止することができる。
【００１３】
請求項４に係る発明によれば、ハンドル６の回動操作角度を一定範囲内に制限するストッパー１９，２０を設けているから、ハンドル６を勢い良く上方又は下方へ回動した時にハンドル６とルーバー連動杆５との枢着部を破損するような不都合な事態を回避することができる。
【図面の簡単な説明】
【００１４】
【図１】(a) は本発明に係る可動ルーバー装置を示す室外側から見た正面図、(b) は(a) のＸ−Ｘ線断面図、(c) は(a) のＹ−Ｙ線断面図である。
【図２】図１の(a) の矢印Ｚで示す部分の拡大詳細図である。
【図３】(a) は図１の(c) の矢印Ｖで示す部分の拡大詳細図で、ロック手段のロック状態を示し、(b)はロック解除状態を示す(a) と同様な図である。
【図４】(a) は図１の(a) の矢印Ｗで示す部分の拡大図、(b) は(a) のＱ−Ｑ線断面図である。
【発明を実施するための形態】
【００１５】
以下に本発明の好適な一実施形態を図面に基づいて説明すると、図１には、建物に設けられた、高さが例えば約３５００ｍｍ程度、幅が例えば約２４００ｍｍ程度の窓開口部Ｏ内に設置された大型の可動ルーバー装置を示している。
【００１６】
この可動ルーバー装置は、窓開口部Ｏ内の左右両側に配設される縦枠１，１間に多数のルーバー２を多段状に等間隔に配して、各ルーバー２の両端部を支軸３を介して両縦枠１，１に回転可能に取り付け、各ルーバー２の一端面に沿って固着したアームプレート４をルーバー２の幅方向一端部から所要長さ突出させて、その突出端部を縦枠１よりも室内側に配置したルーバー連動杆５に枢支連結し、このルーバー連動杆５の下端側所要位置に、把手部が室内側へ長く延出されたルーバー回転操作用ハンドル６の所要部を枢着し、このハンドル６の先端部をルーバー２の支軸３より室外側へ寄った位置で縦枠１に枢着して、このハンドル６を先端枢着部を中心に上下方向に回動させることにより、ルーバー２を一斉に回転させるように構成すると共に、ハンドル６と縦枠１との間に、ハンドル６を所要角度回動させた位置に固定するロック手段７を設けたものである。
【００１７】
上記ルーバー装置の構造について更に詳しく説明すれば、ルーバー２は、中空状のアルミ押出型材よりなる（その中空部を図４の(a) ，(b) に２ｏで示す）もので、図２及び図５に示すように、幅方向中央部に略円筒状の軸部２ａが形成され、この円筒状軸部２ａの内部は略角筒状を成している。このルーバー２の両端部には夫々支軸３の一端部が嵌合固定され、各支軸３の他端部は、図３の(a) に示すように、縦枠１の内側に配設固定された取付枠部材８に回転可能に軸支されている。
【００１８】
各ルーバー２の一端面には、図２及び図３の(a) に示すように、金属帯板状のアームプレート４が、ルーバー２の幅方向に沿ってその端面を覆うと共にルーバー２の一端から所要長さ（ルーバー２の幅方向長さの約１／２程度）突出するようにビス３０により固着され、そして各アームプレート４の先端部は、図２に示すようにピン（ボルト・ナット）９によってルーバー連動杆５に枢着されている。このルーバー連動杆５は、縦枠１よりも室内側に配置されている。
【００１９】
ルーバー回転操作用ハンドル６は、図２及び図３に示すように、ルーバー連動杆５の下端側所要位置において、ハンドル先端部がルーバー８の支軸３よりも室外側端部へ寄った位置で縦枠１にピン（ボルト・ナット）１０によって枢着され、そしてこのハンドル６の先端部側寄りの中央部には長孔１１が設けてあって、この長孔１１に挿通されたボルト・ナットからなるピン１２が、ルーバー連動杆５に枢着されており、従ってこのハンドル６を上下方向に回動操作することによって、ルーバー連動杆５を介して全てのルーバー２をその支軸３を中心に一斉に回転させるようになっている。
【００２０】
この場合、ハンドル６は、上記のように先端部がルーバー８の支軸３よりも室外側端部へ寄った位置で縦枠１に枢着されていると共に、基端部側が室内側へ長く突出するように形成されていて、その室内側突出端部が把手６ｏとなっているため、把手６ｏを掴んでハンドル操作する時に梃子の作用を有効に発揮して、小さなハンドル操作力でルーバー連動杆５及びアームプレート４に対し大きな力を作用させることができる。
【００２１】
ロック手段７は、図２及び図３の(a) から分かるように、縦枠１にボルト・ナット２１で取り付けられた平面視半円状の台板１３の周辺部に、ルーバー回転操作用ハンドル６の先端部の枢着部（ピン）１０を中心とする半径上に一定ピッチでピン孔１４を複数設け、これらのピン孔１４に対し係脱自在のロックピン１５を、ルーバー回転操作用ハンドル６に枢支部材１８によって枢着したピン係脱操作用レバー１６の先端部にピン２２によって取り付け、このピン係脱操作用レバー１６とハンドル６との間に介装したバネ１７によってロックピン１５を常時台板１３のピン孔１４に係入するように付勢し、このバネ１７に抗してピン係脱操作用レバー１６の基端側を押えることによって、ロックピン１５をピン孔１４から抜いてロック解除するようにしたものである。
【００２２】
このロック手段７の使用において、常時はバネ１７の付勢力によってロックピン１５が図３の(a) に示すように台板１３の何れかのピン孔１４に係入し、それによりルーバー回転操作用ハンドル６を所要角度回転位置にロックして、各ルーバー２を所定の回転位置に保持し、そして図３の(b) に示すように、バネ１７に抗してピン係脱操作用レバー１６の基端側を押えると、ロックピン１５が台板１３のピン孔１４から抜け出てロック解除し、ルーバー回転操作用ハンドル６の回動操作を可能とするようになっている。
【００２３】
また図２の実線で示すように、ルーバー回転操作用ハンドル６が水平姿勢にある時は、各ルーバー２も水平姿勢にあり、しかしてこのハンドル６を先端部の枢着部（ピン）１０を中心に上方へ回動すると、ルーバー連動杆５及びアームプレート４を介しルーバー２が両端部の支軸３を中心に上向きに回転し、またハンドル６を下方へ回動すると、ルーバー２が下向きに回転することになる。
【００２４】
そして、この可動ルーバー装置でば、各ルーバー２の一端面に沿って固着したアームプレート４をルーバー２の幅方向一端部から所要長さ突出させて、その突出端部を縦枠１よりも室内側に配置したルーバー連動杆５に枢支連結すると共に、このルーバー連動杆５の下端側所要位置にルーバー回転操作用ハンドル６の所要部を枢着し、このハンドル６の先端部をルーバー２よりも室外側へ寄った位置で縦枠１に枢着し、ハンドル６の基端側を室内側へ長く延出して、その延出端部を把手６ｏとしていることから、ハンドル６は、梃子の作用を有効に発揮させて、把手６ｏでの比較的小さな操作力により、ルーバー連動杆５及びアームプレート４に対し大きな力を作用させることができて、大型可動ルーバー装置の多数のルーバー２を楽に回転操作することができる。この場合、梃子の作用をするハンドル６の先端枢着部１０が支点、ハンドル６の基端部の把手６ｏが力点、ルーバー連動杆５との枢着部１２が作用点となる。
【００２５】
因みに、ルーバー回転操作用ハンドル６のハンドル回動角度は、ルーバー２の回転角度より小さく、例えばハンドル６を、図２の実線で示す水平姿勢から上方へ３０°回動すると、各ルーバー２は、同実線図示の水平姿勢から上向きに約４０°回転するようになっている。
【００２６】
また図２において、１９はハンドル６の上方への回動操作角度を制限するストッパー、２０はハンドル６の下方への回動操作角度を制限するストッパーで、これらのストッパー１９，２０は、夫々台板１３に設けられている。このストッパー７１９，２０を設けることによって、ハンドル６を勢い良く上方又は下方へ回動した時にハンドル６とルーバー連動杆５との枢着部を破損するような不都合な事態を回避することができる。
【００２７】
各ルーバー２は長さが例えば約２４００ｍｍ程度もあるため、図１に示すように、その長さ方向中央部を中間支持材２３によって支持し、それによりルーバー２が自重で撓み変形するのを防止している。
【００２８】
即ち、図４の(a) ，(b) に示すように、各ルーバー２の長さ方向中央部にその厚さ方向に貫通する貫通孔２４を設け、窓開口部Ｏの上端から垂下した金属帯板からなる中間支持材２３を、全段のルーバー２の貫通孔２４にわたって挿通すると共に、この中間支持材２３に各ルーバー２をピン２５によって回転可能に枢着している。
【００２９】
この中間支持材２３にルーバー２を枢着するにあたっては、各ルーバー２の貫通孔２４に中間支持材２３を挿通した後、ルーバー２の中空部２ｏ内にその一端側から中央部に向かって、先端面側にピン挿入孔（図示せず）を有する挿入片２６を挿入し、ルーバー２の他端側からは、先端にピン２５を突設した同様な挿入片２６を中央部に向かって挿入し、この挿入片２６の先端面に突出するピン２５を、ルーバー２の貫通孔２４に挿通している中間支持材２３のピン挿通孔２７から、対向する位置に挿入されている挿入片２６のピン挿入孔に挿入すればよい。尚、各挿入片２６は、ルーバー２の外側からネジ具２８で固定する。
【００３０】
また図４の(a) ，(b) に示すように、中間支持材２３は、適当な長さのところで両側一対のジョイント部材２９，２９で挟み、ボルト・ナット３０で締め付けることによって、接続されるようになっている。
【００３１】
この実施形態では、各ルーバー２をその長さ方向の中央部（真ん中）で１つの中間支持材２３によって回転可能に支持しているが、ルーバー２の長さによってはルーバー２の中間部複数箇所を複数の中間支持材２３によって支持してもよい。
【符号の説明】
【００３２】
１            縦枠
２            ルーバー
３            支軸
４            アームプレート
５            ルーバー連動杆
６            ルーバー回転操作用ハンドル
６ｏ          ハンドルの把手
７            ロック手段
９            ピン
１０          ピン
１３          台板
１４          ピン孔
１５          ロックピン
１６          レバー
１７          バネ
２３          中間支持材
【図１】
2011080248.tif 000003
【図２】
2011080248.tif 000004
【図３】
2011080248.tif 000005
【図４】
2011080248.tif 000006